(57)【要約】【課題】一般的な大きさの広告パネル１１を収容できる広告装置１０と、携帯電話やＩＣカードなどに対して情報を読み取る読取装置２０などの操作装置との両者を装備することができ、商品取出口７や商品見本展示室４の配置や大きさも変更しなくて済む自動販売機を提供する。【解決手段】情報を取得する読取装置２０を、前面扉１の接客面に露出させて配設された接客部２２と、この接客部２２よりも後退させて配設した本体部２１とにより構成し、前面扉１の接客面における読取装置２０の接客部２２より本体部２１を後退させてなる空間に、広告装置１０の一部を位置させて、読取装置２０の本体部２１を広告装置１０の後方に配設した。読取装置２０を装備しながら、広告装置１０の広告パネル１１として一般的な大きなものを使用でき、商品取出口７や商品見本展示室４の配置や大きさも変更しなくて済む。【選択図】図２
2009258811.tif 000002
【特許請求の範囲】
【請求項１】
広告パネルが収容された広告装置と、利用者が操作する操作装置とを、前面扉に備えた自動販売機であって、
前記操作装置を、前面扉の接客面に露出させて配設された接客部と、この接客部よりも後退させて配設した本体部とにより構成し、
前面扉の接客面における前記操作装置の接客部より本体部を後退させてなる空間に、広告装置の一部を位置させて、前記操作装置の本体部を広告装置の後方に配設したことを特徴とする自動販売機。
【請求項２】
広告装置において広告パネルの裏面側を覆う収容枠を、
正面視して操作装置の本体部と重なる領域に配設され、前面扉本体に対して固定された固定枠部と、操作装置の本体部と正面視して重ならない領域に配設され、前面扉本体に対して相対移動可能な移動枠部とに分割させ、
移動枠部が広告パネルの裏面側箇所から待避自在に配設したことを特徴とする請求項１記載の自動販売機。
【請求項３】
移動枠部が、ヒンジ部を介して後方に開閉自在に取り付けられ、
移動枠部を後方に開けることで、収容枠内に広告パネルを挿入可能に構成したことを特徴とする請求項２記載の自動販売機。
【請求項４】
操作装置が、電子マネー機能を搭載するカードまたは携帯電話の情報を読み取る読取装置または現金を識別する現金識別装置であることを特徴とする請求項１〜３の何れか１項に記載の自動販売機。
【請求項５】
操作装置が自動販売機に対して後付け可能なオプション部品であることを特徴とする請求項１〜４の何れか１項に記載の自動販売機。
【発明の詳細な説明】
【技術分野】
【０００１】
本発明は、接客面において広告パネルを掲示させた広告装置を有する自動販売機に関する。
【背景技術】
【０００２】
缶飲料やペットボトル飲料などの商品を販売する自動販売機においては、図４に示すように、接客面をなす前面扉５１の上部に、商品見本５２を多数展示した商品見本展示室５３が設けられ、また、前面扉５１の下部に、商品が出される商品取出口５４が設けられている。そして、特許文献１等にも開示されているように、これらの商品見本展示室と商品取出口との間である前面扉５１の中央部や下部寄り箇所には、販売商品に関する情報などを記載した広告パネルを掲示してなる広告装置５５が設けられている場合が多い。
【０００３】
また、自動販売機において、現金で商品を購入できるだけでなく、電子マネー機能を搭載するＩＣカードや携帯電話を用いて商品を購入可能に構成したものが特許文献２等で開示されている。この自動販売機は、２次元コード（ＱＲコード）などの所定コード等を表示させた携帯電話の表示画面を、自動販売機に設けた画像入力部にかざしたり、ＩＣカードをカードリーダのアンテナ部に近接させたりして認証作業を行い、その後の決済処理を続けて行うことで、現金を投入しなくても商品を購入できるよう構成されている。
【０００４】
このような画像入力部やカードリーダなどの、利用者が所持する物から利用者の情報を取得する情報取得部を備えた読取装置５６（図５（ａ）、（ｂ）参照）を自動販売機に取り付けるに際し、実際に情報を取得する箇所は接客面において携帯電話やＩＣカードをかざし易い（接近または接触させ易い）場所にあることが望ましいので、自動販売機の高さ方向中央部である商品見本展示室５３と商品取出口５４との間の箇所に配設することが好適である。
【０００５】
しかし、この読取装置５６を配設するに適した箇所には既に広告装置５５を配設させており、これ以外の広い配設スペースを確保し難いことが多い。したがって、従来、読取装置５６を自動販売機に組み付ける場合には、図５（ａ）、（ｂ）に示すように、前記読取装置５６を配設するために、広告装置５５を無くしたり、広告パネルおよび広告装置５５を小さめに変更したりすることが行われていた。
【特許文献１】特開２００１−５２２４８公報
【特許文献２】特開２００８−２７０９６公報
【発明の開示】
【発明が解決しようとする課題】
【０００６】
しかしながら、上記のように読取装置５６を自動販売機に組み付ける場合に、図５（ａ）に示すように、従来設けられていた広告装置５５を省いてしまうと、広告による宣伝効果がなくなってしまい、商品の販売額が低下する場合があった。
【０００７】
また、図５（ｂ）に示すように、広告装置５５を小さめに変更して、小さめの広告パネルを収納した場合には、広告による宣伝効果が低下するだけでなく、従来、一般的に用いられている大きさの広告パネル（一般的にはＡ３サイズのもの）や広告装置５５を用いることができないため、特別な小さめの広告パネルや広告ポスターを別途設けなければならず、汎用性に欠け、また、広告パネルや広告ポスター並びに広告装置５５の製造費用が極めて高価となる問題も生じていた。
【０００８】
また、一般的に用いられている大きさの広告パネルや広告装置を使用し続ける方法として、商品取出口５４を自動販売機の下端部付近に移動して、広告装置５５をずらして配設することも考えられる。しかし、この場合には、商品を商品取出口５４から取出す際の操作が行い難くなってしまい、利便性が低下する。また、商品見本５２が展示されている商品見本展示室５３や商品見本５２を小型化することも考えられるが、この場合には、商品見本展示室５３の小型化により集客力が低下するとともに、商品見本５２を小型化することで、汎用的な商品見本５２を使用できなくなってしまう。
【０００９】
本発明は上記課題を解決するもので、一般的な大きさの広告パネルを収容できる広告装置と、利用者が操作する読取装置などの操作装置との両者を装備することができ、しかも、商品取出口や商品見本展示室の配置や大きさも変更しなくて済む自動販売機を提供することを目的とするものである。
【課題を解決するための手段】
【００１０】
上記課題を解決するために、本発明は、広告パネルが収容された広告装置と、利用者が操作する操作装置とを、前面扉に備えた自動販売機であって、前記操作装置を、前面扉の接客面に露出させて配設された接客部と、この接客部よりも後退させて配設した本体部とにより構成し、前面扉の接客面における前記操作装置の接客部より本体部を後退させてなる空間に、広告装置の一部を位置させて、前記操作装置の本体部を広告装置の後方に配設したことを特徴とする。
【００１１】
この構成により、操作装置の本体部を接客部よりも後退させ、この後退させてなる空間に、広告装置の一部を位置させたので、操作装置を装備しながら、広告装置の広告パネルとして一般的な大きなものを使用でき、商品取出口や商品見本展示室の配置や大きさも変更しなくて済む。
【００１２】
また、本発明は、広告装置において広告パネルの裏面側を覆う収容枠を、正面視して操作装置の本体部と重なる領域に配設され、前面扉本体に対して固定された固定枠部と、操作装置の本体部と正面視して重ならない領域に配設され、前面扉本体に対して相対移動可能な移動枠部とに分割させ、移動枠部が広告パネルの裏面側箇所から待避自在に配設したことを特徴とする。
【００１３】
この構成により、移動枠部を広告パネルの裏面側箇所から待避させることでその箇所に開口部が形成されるので、この開口部を通して広告パネルを入れ替えることができる。
また、本発明は、移動枠部が、ヒンジ部を介して後方に開閉自在に取り付けられ、移動枠部を後方に開けることで、収容枠内に広告パネルを挿入可能に構成したことを特徴とする。この構成により、簡単な構成で、収容枠内への広告パネルの入れ替えを良好に行うことができる。
【００１４】
また、本発明は、操作装置が、電子マネー機能を搭載するカードまたは携帯電話の情報を読み取る読取装置または現金を識別する現金識別装置であることを特徴とする。
また、本発明は、操作装置が自動販売機のオプション部品であることを特徴とする。この構成により、操作装置を自動販売機に後付する際に、広告装置を取り外したり、交換したりすること無く、操作装置を組付けることができ、後付する際の作業を少ない手間で能率よく行うことができる。
【発明の効果】
【００１５】
以上のように本発明によれば、操作装置の本体部を接客部よりも後退させ、この後退させてなる空間に、広告装置の一部を位置させたことにより、広告装置の広告パネルとして一般的な大きなものを使用でき、商品取出口や商品見本展示室の配置や大きさも変更しなくて済み、操作装置の装備による利便性の向上を得ることができると同時に、広告による宣伝効果を良好に維持できる。
【００１６】
また、広告パネルの収容枠を、正面視して操作装置の本体部と重なる領域の固定枠部と、正面視して重ならない領域の移動枠部とに分割し、移動枠部を広告パネルの裏面側箇所から待避自在に配設したことにより、広告パネル配設領域へ広告パネルを支障無く取り替えることができる。
【００１７】
また、移動枠部を、ヒンジ部を介して後方に開閉自在に取り付けたことにより、簡単な構成で、広告パネルの入れ替えを良好に行うことができ、設備費の上昇も最小限で済ますことができる。
【００１８】
また、操作装置が後付け可能なオプション部品であることにより、操作装置を自動販売機に後付する際に、広告装置を取り外したり、交換したりしなくても済み、後付する際の作業を少ない手間で能率よく行うことができる。
【発明を実施するための最良の形態】
【００１９】
以下、本発明の実施の形態に係る自動販売機を、図面に基づき説明する。なお、図１は本発明の実施の形態に係る自動販売機の全体斜視図、図２（ａ）および（ｂ）は同自動販売機の広告装置と、操作装置としての読取装置およびその近傍箇所の側面断面図および正面図、図３（ａ）および（ｂ）は同自動販売機の広告装置と読取装置およびその近傍箇所の簡略的な平面図および背面側より矢視した前面扉の斜視図である。
【００２０】
図１〜図３に示すように、自動販売機の接客面である前面部には前面扉１が配設されており、この前面扉１は、商品の収納搬送部などが格納された自動販売機本体２から前方に開閉可能に取り付けられている。前面扉１の上部から中央寄り箇所にかけては、多数の商品見本３が展示されている商品見本展示室４が設けられている。商品見本展示室４の内部には、商品棚５が上下に複数段設けられており、各段の商品棚５上に、それぞれ複数の商品見本３が間隔をあけて横並びに載置されている。また、商品見本３に対応して、商品棚５の前部には商品選択ボタン６が配設されている。
【００２１】
自動販売機の前面扉１の下部には、購入商品が払い出される商品取出口７や、つり銭等が払い出されるコイン返却口８が配設されている。
自動販売機の前面扉１における上下方向の中央部、すなわち、商品見本展示室４と商品取出口７との間には、広告パネル１１（印刷された板状体だけでなく、紙などのポスターの場合も含む）が配設された広告装置１０と、電子マネー機能を搭載するＩＣカードまたは携帯電話の情報を読み取る操作装置としての読取装置（読取機能だけでなく書込機能も有する読取書込装置でもよい）２０と、現金の投入や、投入金額等の表示を行う操作表示部３０などが設けられている。
【００２２】
広告装置１０は、矩形（この実施の形態では自動販売機で最も一般的に用いられるＡ３サイズの長方形だが、これに限るものではない）で平板状の広告パネル１１が略薄肉箱形状の収容枠１２内に収容された構成とされており、収容枠１２の前面は透明板１２ｃで覆われ、この透明板１２ｃを通して広告パネル１１を視認できる。
【００２３】
図２に示すように、操作装置としての読取装置２０は、各種基板や電気回路等が内蔵されている本体部２１と、前面扉１の接客面に露出させて配設される接客部２２とから構成されている。接客部２２には、携帯電話の表示部の表示内容（２次元コード（ＱＲコード）等）を読み取る機能や、ＩＣカードに対して非接触で通信を行うアンテナ機能を有する情報入力部２４と、各種の案内情報や、携帯電話またはＩＣカードに対する情報などを表示する情報表示部２５と、各種の選択動作を行わせるための押ボタン（選択手段）２６などが設けられている。
【００２４】
図１に示すように、各種の現金投入操作および投入金額等の表示を行う操作表示部３０には、コインを投入するコイン投入口３１、紙幣を挿入する紙幣挿入口３２、つり銭等の返却を指示する返却レバー３３、投入料金などを表示する投入金額表示部３４などが設けられている。
【００２５】
ここで、上記したように、前面扉１の接客面には接客部２２だけが露出させて配設されており、図２に示すように、読取装置２０の本体部２１は、接客部２２よりも後退させて（すなわち、前面扉１の接客面よりも後退させて）配設されている。そして、前面扉１の接客面における読取装置２０の接客部２２より本体部２１を後退させてなる空間に、広告装置１０の一部（この実施の形態では広告装置１０の向かって右側部分）を位置させており、正面視して、読取装置２０の本体部２１と広告装置１０の右側部分とが重なる姿勢で、読取装置２０の本体部２１を広告装置１０の後方に配設している。
【００２６】
図２、図３に示すように、広告装置１０において広告パネル１１の裏面側（詳しくは前面部以外の部分）を覆う収容枠１２は、正面視して読取装置２０の本体部２１と重なる領域に配設された固定枠部１２ａと、読取装置２０の本体部２１と正面視して重ならない領域に配設された移動枠部１２ｂとに分割されており、固定枠部１２ａは、前面扉１の本体部分をなす前面扉本体１ａに対して固定されている。一方、移動枠部１２ｂは、後述する構成により、前面扉本体１ａに対して相対移動可能に配置されている。具体的には、これらの固定枠部１２ａと移動枠部１２ｂとの間に、鉛直方向に延びる回転軸を有するヒンジ部１３が介装され、このヒンジ部１３を介して、移動枠部１２ｂが広告パネル１１の裏面側箇所から後方に向けて開閉自在に配設されている。そして、図３に示すように、自動販売機の前面扉１を開けた状態で、移動枠部１２ｂを前面扉本体１２ａに対して後方に開けることで、その空けた部分に開口部が形成されるので、この開口部を通して、収容枠１２内に広告パネル１１を挿入可能に構成している。
【００２７】
なお、この実施の形態においては、図２に示すように、固定枠部１２ａの一部は、読取装置２０の本体部２１を前面扉本体１ａに取り付けて支持させる固定用ブラケット１２ｄ、および収容枠１２の外周をなす枠体１２ｅとしても兼用されているが、固定用ブラケット１２ｄを個別に設けてもよい。移動枠部１２ｂは、ヒンジ部１３を介して所定の範囲で昇降可能に支持されているとともに、移動枠部１２ｂの端部には、移動時に指を入れる孔部１２ｆと、係止用爪部１２ｇが形成され、広告パネル１１を交換する際などに移動枠部１２ｂを閉じる際に上方に上げながら閉じた後に落とすことで係止できるよう構成されている。
【００２８】
また、読取装置２０は、自動販売機に対して後付け可能なオプション部品とされており、自動販売機の所有者等が、初期設置時には、この読取装置２０が設けられていない自動販売機を購入した後、必要性などに応じて追加して装備することが可能である（もちろん、初期購入時において発注することで、初期段階から装備しておくこともできる）。
【００２９】
上記構成により、読取装置２０の本体部２１を接客部２２よりも後退させ、この後退させてなる空間に、広告装置１０の一部を位置させたので、利用者がＩＣカードや携帯電話をかざし易い、前面扉１における上下方向の中央部の空間、すなわち、商品見本展示室４と商品取出口７との間の箇所に、読取装置２０を良好に装備しながら、広告装置１０の広告パネル１１として一般的な大きなものを使用できる。したがって、読取装置２０を装備したことによる現金以外での購入を実現できて、利便性の向上を得ることができると同時に、広告による宣伝効果を良好に維持できて、その結果、商品の販売量を増加させることができる。また、従来のように、特別な小さめの広告パネルや広告ポスターを別途設ける必要が無いので、このようなことに起因して広告パネルや広告ポスター並びに広告装置の製造費用が極めて高価となるという問題が生じることがない。
【００３０】
また、商品取出口７の位置は従来のままで変更していないので、利用客の商品の取出し操作に支障をきたすことがない。また、商品見本展示室４も小型化しなくても済むので、良好な集客力を維持でき、また、汎用的な商品見本３を従来どおり使用できる。
【００３１】
また、広告パネル１１の収容枠１２を、正面視して読取装置２０の本体部２１と重なる領域の固定枠部１２ａと、重ならない領域の移動枠部１２ｂとに分割し、移動枠部１２ｂを広告パネル１１の裏面側箇所から待避自在に配設したことにより、広告パネル配設領域（収容枠１２内部）へ広告パネル１１を支障無く取り替えることができる。
【００３２】
また、移動枠部１２ｂを、ヒンジ部１３を介して後方に開閉自在に取り付けたことにより、簡単な構成で、広告パネル１１の入れ替えを良好に行うことができ、設備費の上昇も最小限で済ますことができる。
【００３３】
なお、この構成に限るものではなく、ヒンジ部１３を介して、移動枠部１２ｂを上方や下方に開閉する（この場合には、移動枠部１２ｂの上辺部や下辺部にヒンジ部を配設すればよい）ように構成してもよい。また、ヒンジ部１３を設けずに、移動枠部１２ｂを側方や、上方または下方にスライド可能に構成してもよい。
【００３４】
また、読取装置２０を後付け可能なオプション部品として販売し、初期販売時に読取装置２０を装備していない状態で販売する際には、読取装置２０の接客部２２に相当する箇所を覆うカバーを取り付けておくだけでよく、この状態から後付けする場合には、前記カバーを取り外して、読取装置２０を組付けるだけでよい。したがって、読取装置２０の後付時には、広告装置１０を取り外したり、交換したりしなくても済み、後付する際の作業を少ない手間で能率よく行うことができる。
【００３５】
また、上記実施の形態では、利用者が操作する操作装置の１例として、操作装置が、電子マネー機能を搭載するＩＣカードまたは携帯電話の情報を読み取る読取装置２０である場合を述べたが、ＩＣカードに代えて電子マネー機能を搭載する磁気カードと磁気読取装置を用いてもよく、更には、これらに限るものではなく、利用者が直に情報を入力する入力手段を有する場合、例えば、テンキーなどの入力手段でもよく、これを用いて、指定のＩＤや暗証番号を入力して利用者の認証動作を行わせ、その後の決済動作などを行わせるように構成してもよい。また、利用者が操作する操作装置の他の例として、利用者が投入する現金を識別する現金識別装置であってもよい。
【図面の簡単な説明】
【００３６】
【図１】本発明の実施の形態に係る自動販売機の全体斜視図である。
【図２】（ａ）および（ｂ）は同自動販売機の広告装置と読取装置およびその近傍箇所の側面断面図および正面図である。
【図３】（ａ）および（ｂ）は同自動販売機の広告装置と読取装置およびその近傍箇所の簡略的な平面図および背面側より矢視した前面扉の斜視図である。
【図４】従来の自動販売機の全体斜視図である。
【図５】（ａ）および（ｂ）はそれぞれ、読取装置を備えた従来の自動販売機の全体斜視図である。
【符号の説明】
【００３７】
１      前面扉
２      自動販売機本体
３      商品見本
４      商品見本展示室
７      商品取出口
１０      広告装置
１１      広告パネル
１２      収容枠
１２ａ    固定枠部
１２ｂ    移動枠部
１２ｃ    透明板
１２ｄ    固定用ブラケット
１２ｅ    枠体
１３      ヒンジ部
２０      読取装置（操作装置）
２１      本体部
２２      接客部
２４      情報入力部
２５      情報表示部
２６      押ボタン（選択手段）
３０      操作表示部
３１      コイン投入口
３２      紙幣挿入口
３３      返却レバー
３４      投入金額表示部
【図１】
2009258811.tif 000003
【図２】
2009258811.tif 000004
【図３】
2009258811.tif 000005
【図４】
2009258811.tif 000006
【図５】
2009258811.tif 000007